(57)【特許請求の範囲】
【請求項１】
防疫のために所定の基準で衛生管理された衛生管理区域内とそれ以外の衛生管理区域外とに農場敷地内を区画する境界に配置される防疫用衛生管理棟であって、
側壁で囲まれた防疫用衛生管理棟の内部に、衛生管理区域内と衛生管理区域外との間を出入りする者の身体の洗浄や除菌等を行う衛生管理装置を設けるとともに、衛生管理区域外から前記衛生管理装置に通じる外側出入口と衛生管理区域内から前記衛生管理装置に通じる内側出入口と仕切壁とを設けて、防疫用衛生管理棟の内部を前記衛生管理装置と仕切壁とで前記外側出入口に通じる外側空間と前記内側出入口に通じる内側空間とに仕切るとともに、前記衛生管理装置の前記外側空間側に外側出入口とは対向しない外側扉を設け、前記衛生管理装置の前記内側空間側に内側出入口とは対向しない内側扉を設け、前記外側出入口及び内側出入口を前記仕切壁と対向させ、前記外側扉及び内側扉を前記側壁と対向させ、
外側出入口から前記衛生管理装置の外側扉へと通じる外側侵入通路と、前記衛生管理装置の内側扉から内側出入口へと通じる内側侵入通路と、内側出入口から前記衛生管理装置の内側扉へと通じる内側退出通路と、前記衛生管理装置の外側扉から外側出入口へと通じる外側退出通路とを形成し、
外側侵入通路と内側侵入通路、及び、内側退出通路と外側退出通路とが重ならない構成としたことを特徴とする防疫用衛生管理棟。
【請求項２】
前記衛生管理装置は、側壁で囲まれた防疫用衛生管理棟の内部に設けられ、周囲に壁体を形成して部屋状に区画し、壁体に外側出入口に通じる外側扉と内側出入口に通じる内側扉とを形成したことを特徴とする請求項１に記載の防疫用衛生管理棟。
【請求項３】
前記衛生管理装置は、少なくとも外側扉を有する壁体と内側扉を有する壁体とを含む複数枚の壁体で組立式に構成したことを特徴とする請求項２に記載の防疫用衛生管理棟。
【発明の詳細な説明】
【技術分野】
【０００１】
本発明は、所定の基準で衛生管理された衛生管理区域内とそれ以外の衛生管理区域外との境界に配置される防疫用衛生管理棟に関するものである。
【背景技術】
【０００２】
従来より、口蹄疫や伝達性海綿状脳症（ＢＳＥ）や高病原性鳥インフルエンザなどの家畜の伝染病の発生や蔓延が社会問題となっている。家畜の伝染病の発生を予防し伝染病の蔓延を防止する防疫のためには、病原菌の農場敷地内への浸入や農場敷地外への拡散を防止する必要がある。そのため、農場敷地の内外に通じる道路に消毒施設を設けて車両に付着した病原菌を除去するといった対策が行われている。
【０００３】
しかしながら、家畜の伝染病の病原となる病原菌は、車両だけでなく農作業者の身体にも付着し、農作業者の身体を介して農場敷地内への侵入や農場敷地外への拡散が発生するおそれがある。
【０００４】
そこで、防疫のために農場敷地内を衛生管理区域内とそれ以外の衛生管理区域外とに区画し、その境界に、特許文献１に開示されているような作業者の身体の洗浄や除菌等を行うための衛生管理装置を設置することが考えられる。
【先行技術文献】
【特許文献】
【０００５】
【特許文献１】特開２００２−８５２７１号公報
【発明の概要】
【発明が解決しようとする課題】
【０００６】
ところが、単に衛生管理区域内と衛生管理区域外との境界に衛生管理装置を設置したのでは、衛生管理区域内から衛生管理装置へと通じる通路と衛生管理区域外から衛生管理装置へと通じる通路とが明確に区別されずに一部分が重なってしまう。
【０００７】
そのため、衛生管理装置で農作業者の身体から病原菌を除去できるとしても、衛生管理区域内から衛生管理装置へと通じる通路と衛生管理区域外から衛生管理装置へと通じる通路とが重なる部分において、病原菌が他の農作業者の身体に転着して、病原菌の農場敷地内への侵入や農場敷地外への拡散が発生してしまい、確実な防疫を行うことができない。
【課題を解決するための手段】
【０００８】
そこで、請求項１に係る本発明では、防疫のために所定の基準で衛生管理された衛生管理区域内とそれ以外の衛生管理区域外とに農場敷地内を区画する境界に配置される防疫用衛生管理棟であって、側壁で囲まれた防疫用衛生管理棟の内部に、衛生管理区域内と衛生管理区域外との間を出入りする者の身体の洗浄や除菌等を行う衛生管理装置を設けるとともに、衛生管理区域外から前記衛生管理装置に通じる外側出入口と衛生管理区域内から前記衛生管理装置に通じる内側出入口と仕切壁とを設けて、防疫用衛生管理棟の内部を前記衛生管理装置と仕切壁とで前記外側出入口に通じる外側空間と前記内側出入口に通じる内側空間とに仕切るとともに、前記衛生管理装置の前記外側空間側に外側出入口とは対向しない外側扉を設け、前記衛生管理装置の前記内側空間側に内側出入口とは対向しない内側扉を設け、前記外側出入口及び内側出入口を前記仕切壁と対向させ、前記外側扉及び内側扉を前記側壁と対向させ、外側出入口から前記衛生管理装置の外側扉へと通じる外側侵入通路と、前記衛生管理装置の内側扉から内側出入口へと通じる内側侵入通路と、内側出入口から前記衛生管理装置の内側扉へと通じる内側退出通路と、前記衛生管理装置の外側扉から外側出入口へと通じる外側退出通路とを形成し、外側侵入通路と内側侵入通路、及び、内側退出通路と外側退出通路とが重ならない構成としたことを特徴とする防疫用衛生管理棟を提供する。
【０００９】
また、請求項２に係る本発明では、前記請求項１に係る本発明において、前記衛生管理装置は、側壁で囲まれた防疫用衛生管理棟の内部に設けられ、周囲に壁体を形成して部屋状に区画し、壁体に外側出入口に通じる外側扉と内側出入口に通じる内側扉とを形成したことを特徴とする防疫用衛生管理棟を提供する。 
【００１０】
また、請求項３に係る本発明では、前記請求項２に係る本発明において、前記衛生管理装置は、少なくとも外側扉を有する壁体と内側扉を有する壁体とを含む複数枚の壁体で組立式に構成したことを特徴とする防疫用衛生管理棟を提供する。
【発明の効果】
【００１１】
そして、本発明では、衛生管理区域外から衛生管理装置へと通じる外側侵入通路と衛生管理装置から衛生管理区域内へと通じる内側侵入通路との重なりがないため、家畜の伝染病の病原菌が付着した農作業者が衛生管理区域外から衛生管理装置へと侵入しても、衛生管理装置から衛生管理区域内へと向かう農作業者に病原菌が転着することがなく、農場敷地内への病原菌の侵入を防止することができる。
【００１２】
また、衛生管理区域内から衛生管理装置へと通じる内側退出通路と衛生管理装置から衛生管理区域外へと通じる外側退出通路との重なりがないために、仮に家畜の伝染病の病原菌が付着した農作業者が衛生管理区域内から衛生管理装置へと侵入したとしても、衛生管理装置から衛生管理区域外へと向かう農作業者に病原菌が転着することがなく、農場敷地外への病原菌の拡散を防止することができる。
【図面の簡単な説明】
【００１３】
【図１】本発明に係る防疫用衛生管理棟を示す平面模式図。
【図２】同内部通路を示す平面模式図。
【図３】衛生管理装置を示す平面模式図（ａ）、壁体を示す正面模式図（ｂ）〜（ｅ）。
【発明を実施するための形態】
【００１４】
以下に、本発明に係る防疫用衛生管理棟の具体的な構成について図面を参照しながら説明する。
【００１５】
図１に示すように、防疫用衛生管理棟１は、農場敷地２において衛生管理区域内３と衛生管理区域外４との境界に設置される。ここで、衛生管理区域内３とは、所定の基準で衛生管理された区域であり、洗浄や除菌等が施された農作業者のみが侵入できるように管理された区域である。また、衛生管理区域外４とは、衛生管理区域内３以外の区域であり、何ら衛生管理されていない区域に限られず、衛生管理区域内３とは異なる基準で衛生管理された区域であってもよい。
【００１６】
防疫用衛生管理棟１は、側壁５で囲まれた内部を仕切壁６と衛生管理装置７とで仕切り、内部に外側空間８と内側空間９と衛生管理装置内空間10とを形成している。ここで、衛生管理装置７とは、衛生管理区域内３と衛生管理区域外４との間を出入りする農作業者の身体の洗浄や除菌等を行う装置であり、シャワー装置や電解水噴霧機や紫外線殺菌装置などの各種装置である。
【００１７】
また、防疫用衛生管理棟１は、外側空間８の側壁５に衛生管理区域外４から衛生管理装置７へと通じる外側出入口11を形成する一方、内側空間９の側壁５に衛生管理装置７へと通じる内側出入口12を形成している。
【００１８】
さらに、防疫用衛生管理棟１は、衛生管理装置７に外側出入口11から外側空間８を通って衛生管理装置内空間10へと通じる外側扉13と、内側出入口12から内側空間９を通って衛生管理装置内空間10へと通じる内側扉14とを形成している。
【００１９】
なお、防疫用衛生管理棟１は、外側空間８に農作業者の私服を収容する私服用ロッカー15を設置するとともに、内側空間９に農作業者の作業着を収容する作業着用ロッカー16を設置している。
【００２０】
そして、農作業者は、衛生管理区域外４から衛生管理区域内３に浸入する場合、衛生管理区域外４から外側出入口11を通って防疫用衛生管理棟１の内部に入り、外側空間８で私服を脱ぎ、外側扉13から衛生管理装置内空間10へと入り、衛生管理装置７で身体を洗浄や除菌等し、その後、内側扉14から内側空間９へと入り、内側空間９で作業着を着て、防疫用衛生管理棟１の内部から内側出入口12を通って衛生管理区域内３へと入る。
【００２１】
一方、農作業者は、衛生管理区域内３から衛生管理区域外４に退出する場合、衛生管理区域内３から内側出入口12を通って防疫用衛生管理棟１の内部に入り、内側空間９で作業着を脱ぎ、内側扉14から衛生管理装置内空間10へと入り、衛生管理装置７で身体を洗浄や除菌等し、その後、外側扉13から外側空間８へと入り、外側空間８で私服を着て、防疫用衛生管理棟１の内部から外側出入口11を通って衛生管理区域外４へと出る。
【００２２】
これにより、防疫用衛生管理棟１の内部には、図２に示すように、農作業者が衛生管理区域外４から衛生管理区域内３に浸入するために、外側出入口11から衛生管理装置７へと通じる外側侵入通路17と、衛生管理装置７から内側出入口12へと通じる内側侵入通路18とが形成され、一方、農作業者が衛生管理区域内３から衛生管理区域外４に退出するために、内側出入口12から衛生管理装置７へと通じる内側退出通路19と、衛生管理装置７から外側出入口11へと通じる外側退出通路20とが形成される。
【００２３】
しかも、上記防疫用衛生管理棟１では、外側侵入通路17と内側侵入通路18とが重なることなく一方通行となっており、内側退出通路19と外側退出通路20とが重なることなく一方通行となっている。
【００２４】
ここで、農場敷地２の外部で家畜の伝染病が発生したと想定すると、衛生管理区域外４から防疫用衛生管理棟１に浸入する農作業者の身体に病原菌が付着している可能性がある。この場合、身体に病原菌が付着した農作業者が外側侵入通路17を通ることになるが、外側侵入通路17と内側侵入通路18とが重なっていないために、衛生管理装置７で洗浄や除菌等された後に内側侵入通路18を通る他の農作業者に病原菌が転着することがない。
【００２５】
また、農場敷地２の内部で家畜の伝染病が発生したと想定すると、衛生管理区域内３から防疫用衛生管理棟１に浸入する農作業者の身体に病原菌が付着している可能性がある。この場合、身体に病原菌が付着した農作業者が内側退出通路19を通ることになるが、内側退出通路19と外側退出通路20とが重なっていないために、衛生管理装置７で洗浄や除菌等された後に外側退出通路20を通る他の農作業者に病原菌が転着することがない。
【００２６】
なお、外側侵入通路17と外側退出通路20、及び、内側侵入通路18と内側退出通路19とが重ならないようにしてもよい。
【００２７】
以上に説明したように、防疫用衛生管理棟１は、衛生管理区域外４から衛生管理装置７に通じる外側出入口11と衛生管理区域内３から衛生管理装置７に通じる内側出入口12とが形成され、外側出入口11から衛生管理装置７へと通じる外側侵入通路17と、衛生管理装置７から内側出入口12へと通じる内側侵入通路18とが重ならず、しかも、内側出入口12から衛生管理装置７へと通じる内側退出通路19と、衛生管理装置７から外側出入口11へと通じる外側退出通路20とが重ならないように構成している。
【００２８】
そのため、上記構成の防疫用衛生管理棟１では、家畜の伝染病の病原菌が付着した農作業者が衛生管理区域外４から衛生管理装置７へと侵入しても、衛生管理装置７から衛生管理区域内３へと向かう農作業者に病原菌が転着することがなく、農場敷地２の内部への病原菌の侵入を防止することができる。また、仮に家畜の伝染病の病原菌が付着した農作業者が衛生管理区域内３から衛生管理装置７へと侵入したとしても、衛生管理装置７から衛生管理区域外４へと向かう農作業者に病原菌が転着することがなく、農場敷地２の外部への病原菌の拡散を防止することができる。
【００２９】
上記防疫用衛生管理棟１は、側壁５や仕切壁６などの構成要素をユニット化して、設置やレイアウト変更などを容易に行えるようにしてもよい。
【００３０】
また、衛生管理装置７も全体をユニットルーム化して、設置やレイアウト変更などを容易に行えるようにしてもよい。たとえば、図３に示すように、衛生管理装置７を底壁と天井壁とを有する箱枠状の枠体21に複数枚（ここでは、４枚）の同一サイズの壁体22〜25を着脱可能に取付けた構造として、周囲を壁体22〜25で区画した部屋状に形成してもよい。
【００３１】
この衛生管理装置７では、１枚の壁体22に外側扉13を形成するとともに、他の１枚の壁体23に内側扉14を形成している。なお、この衛生管理装置７では、１枚の壁体24にシャワー器具26を設け、他の１枚の壁体25に照明器具27を設けているが、同じ壁体にシャワー器具等の衛生器具と照明器具等を設けた壁体や単に壁面を形成する壁体などを進退方向や広さなどに応じて適宜組み合わせてもよい。
【００３２】
このように、衛生管理装置７の周囲に壁体22〜25を形成して、防疫用衛生管理棟１の内部で衛生管理装置７を部屋状に区画した場合には、一枚の壁体22に外側扉13を形成するとともに、他の壁体23に内側扉14を形成することで、部屋状に区画した衛生管理装置７においても外側侵入通路17と内側侵入通路18、及び、内側退出通路19と外側退出通路20とが重ならない構成となり、家畜の伝染病の病原菌が農作業者間で転着して農場敷地２の内外への侵入や拡散してしまうのを防止することができる。
【００３３】
また、少なくとも外側扉13を有する壁体22と内側扉14を有する壁体23とを含む複数枚の壁体22〜25で衛生管理装置７を組立式に構成することで、レイアウトや広さ等の自由度の高い衛生管理装置７とすることができる。
【符号の説明】
【００３４】
１  防疫用衛生管理棟              ２  農場敷地
３  衛生管理区域内                ４  衛生管理区域外
５  側壁                          ６  仕切壁
７  衛生管理装置                  ８  外側空間
９  内側空間                      10  衛生管理装置内空間
11  外側出入口                    12  内側出入口
13  外側扉                        14  内側扉
15  私服用ロッカー                16  作業着用ロッカー
17  外側侵入通路                  18  内側侵入通路
19  内側退出通路                  20  外側退出通路
21  枠体                          22〜25  壁体
26  シャワー器具                  27  照明器具
【図１】
0005735449.tif 000002
【図２】
0005735449.tif 000003
【図３】
0005735449.tif 000004